【事件の表示】
　特願２０１１−１６２１８５「チョッパ回路」拒絶査定不服審判事件〔平成２５年　２月　４日出願公開、特開２０１３−　２７２４１、請求項の数（６）〕について、次のとおり審決する。
【結　論】
　原査定を取り消す。
　本願の発明は、特許すべきものとする。
【理　由】
第１　手続の経緯　
　本願は、平成２３年７月２５日の出願であって、平成２７年１月２３日付けで拒絶理由が通知され、平成２７年９月１４日付けで拒絶査定がされ、これに対し、平成２７年１２月２４日に拒絶査定不服審判が請求されたものである。
第２　本願発明
　本願の請求項１−６に係る発明は、願書に最初に添付された特許請求の範囲の請求項１−６に記載された事項により特定されるものと認められるところ、本願の請求項１に係る発明（以下、「本願発明」という。）は以下のとおりである。
「直流電源（２）の正極側と負極側との間に接続される第１コンデンサ（３１）と、
　第１端と、前記正極側が接続される第２端とを有するスイッチング素子（３２）と、
　前記負極側及び電圧形インバータ（４）の低電位側入力端に接続されるアノードと、前記スイッチング素子の前記第１端に接続されるカソードとを有する第１ダイオード（３３）と、
　前記電圧形インバータの高電位側入力端に接続されるアノードと、前記スイッチング素子の前記第２端に接続されるカソードとを有する第２ダイオード（３４）と、
　前記スイッチング素子の前記第１端と前記第２ダイオードの前記アノードとの間に接続される第１リアクトル（３５ｄ）と、
　前記スイッチング素子の前記第１端に接続され、前記スイッチング素子の前記第１端側において前記第１リアクトルと同極性で誘導結合する第２リアクトル（３５ａ）と、
　前記第１ダイオードの前記カソードと前記アノードとの間で、前記第２リアクトルに対して直列に接続される第２コンデンサ（３６）と
を備えるチョッパ回路（３０３）。」　
第３　原査定の理由の概要
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　記
　引用文献１には直流電源（２）の正極側と負極側との間に接続される第１コンデンサ（２ｄ）と、第１端と、前記正極側が接続される第２端とを有するスイッチング素子（３ａ）と、前記負極側及び電圧形インバータ（４）の低電位側入力端に接続されるアノードと、前記スイッチング素子の前記第１端に接続されるカソードとを有する第１ダイオード（３ｃ）と、前記電圧形インバータの高電位側入力端に接続されるアノードと、前記スイッチング素子の前記第２端に接続されるカソードとを有する第２ダイオード（５）と、前記スイッチング素子の前記第１端と前記第２ダイオードの前記アノードとの間に接続されるリアクトル（３ｂ）と、を備えるチョッパ回路が記載されている。（特に段落００１４−００１８，第１図参照のこと。）
　引用文献２にはリップル電流を除去するために、第１リアクトル（Ｌ２）と同極性で誘導結合する第２リアクトル（Ｌｍ２）と、前記第２リアクトルに対して直列に接続されるコンデンサ（Ｃ２）とを備える回路が記載されている。（特に段落００１６−００２０，００５５，００５６，１，４図参照のこと。）
　そして、引用文献２に記載のリップル電流を除去するために、第１リアクトルと同極性で誘導結合する第２リアクトルと、前記第２リアクトルに対して直列に接続されるコンデンサとを備える点を引用文献１に記載のチョッパ回路に用いることは、当業者であれば容易になし得ることである。
　　　　　　　　　　　引　用　文　献　等　一　覧
１.特開平５−２６０７５７号公報
２.特開２００９−２１９３３３号公報
第４　当審の判断
１．引用文献の記載事項
　原査定で引用された特開平５−２６０７５７号公報（以下、「引用文献１」という。）には、次のとおりの記載がある。
ア．
「【００１１】
【作用】請求項１の電動機駆動用インバータ装置であれば、ブリッジ整流回路により整流された直流電圧を得ることができ、降圧チョッパ回路によりリアクトルに流れる電流を直流に制御することができる。そして、電圧形ブリッジインバータを動作させることにより所望の交流電流を負荷としての電動機に供給できる。」
イ．
「【００１４】
【実施例】以下、実施例を示す添付図面によって詳細に説明する。図１はこの発明の電動機駆動用インバータ装置の一実施例を示す電気回路図であり、三相交流電源１を入力とする三相ダイオードブリッジ整流回路２と、三相ダイオードブリッジ整流回路２により得られる直流電圧を電源とする降圧チョッパ回路３と、降圧チョッパ回路３の出力を入力として所定のスイッチング動作を行なって負荷としての電動機６に三相電力を供給する電圧形三相フルブリッジインバータ４と、降圧チョッパ回路３に対して並列に逆接続された回生電力バイパス用ダイオード５とを有している」
ウ．
「【００１６】
  次いで、構成各部について詳細に説明する。
  上記三相ダイオードブリッジ整流回路２は整流素子として、位相制御されるサイリスタに代えてダイオード２ａを採用し、電解コンデンサ２ｂにより定電圧源としているので、構成を簡素化できる。上記降圧チョッパ回路３は、リアクトル３ｂと、リアクトル３ｂの電流を直流に制御すべくスイッチング制御されるスイッチング素子３ａと、スイッチング素子３ａを介して電解コンデンサ２ｂと並列に接続されたダイオード３ｃとから構成されている。したがって、スイッチング制御されるスイッチング素子３ａおよびダイオード３ｃによりリアクトル３ｂの電流を制御でき、スイッチング素子３ａのスイッチング周波数を高く設定することにより、リアクトル３ｂの容量を小さくできる。また、サイリスタの位相を制御する場合には、従来は６個のサイリスタをスイッチングさせる必要があったが、１つのスイッチング素子３ａをスイッチングさせるだけでよくなる。尚、電流指令値と実際のリアクトル電流とに基づいてＰＩ制御を行なうとともに、ＰＩ制御の結果得られた信号と所定の周波数の三角波信号との大小を比較して、大小比較結果に基づいてスイッチング素子３ａの制御を行なうようにしており、始動時に代表されるように電動機に過電流が流れる可能性がある時に、過電流を抑制できる。この結果、始動時に過大な電流が流れることを防止して電動機を軟らかく始動できることになる。
【００１７】上記電圧形三相フルブリッジインバータ４は、各相のスイッチング素子４ａと並列にダイオード４ｂが接続されているだけであり、各相間の転流ダイオードが不要であるから構成を著しく簡素化できる。上記回生電力バイパス用ダイオード５は、降圧チョッパ回路３の、スイッチング素子３ａとリアクトル３ｂとの直列回路と並列に逆接続されている。したがって、三相ダイオードブリッジ整流回路２の電解コンデンサの端子間電圧よりリアクトル３ｂの出力端子電圧が高い場合にのみ回生電力バイパス用ダイオード５が導通状態になる。」
ａ．
　上記イによれば、引用文献１には、
「三相交流電源１を入力とする三相ダイオードブリッジ整流回路２と、三相ダイオードブリッジ整流回路２により得られる直流電圧を電源とする降圧チョッパ回路３と、降圧チョッパ回路３の出力を入力として所定のスイッチング動作を行なって負荷としての電動機６に三相電力を供給する電圧形三相フルブリッジインバータ４と、降圧チョッパ回路３に対して並列に逆接続された回生電力バイパス用ダイオード５とを有している動機駆動用インバータ装置。」が記載されている。
ｂ．
　上記段落【００１６】、図１によれば、三相ダイオードブリッジ整流回路２の正極側と負極側の間には、電解コンデンサ２ｂが接続されている。
ｃ．
　上記段落【００１６】、図１によれば、上記ａの「降圧チョッパ回路３」は、「リアクトル３ｂと、リアクトル３ｂの電流を直流に制御すべくスイッチング制御されるスイッチング素子３ａと、スイッチング素子３ａを介して電解コンデンサ２ｂと並列に接続されたダイオード３ｃ」とから構成されている。
ｄ．
　上記段落【００１７】、図１によれば、上記ａの「回生電力バイパス用ダイオード５」は、「降圧チョッパ回路」の「スイッチング素子３ａとリアクトル３ｂとの直列回路と並列に逆接続」されている。
ｅ．
　以上によれば、引用文献１には、
「三相交流電源１を入力とする三相ダイオードブリッジ整流回路２と、
　三相ダイオードブリッジ整流回路２の正極側と負極側の間に接続された、電解コンデンサ２ｂと、
　三相ダイオードブリッジ整流回路２により得られる直流電圧を電源とする降圧チョッパ回路３と、
　降圧チョッパ回路３の出力を入力として所定のスイッチング動作を行なって負荷としての電動機６に三相電力を供給する電圧形三相フルブリッジインバータ４と、
　降圧チョッパ回路３に対して並列に逆接続された回生電力バイパス用ダイオード５と、から構成され、
　前記降圧チョッパ回路３は、リアクトル３ｂと、リアクトル３ｂの電流を直流に制御すべくスイッチング制御されるスイッチング素子３ａと、スイッチング素子３ａを介して電解コンデンサ２ｂと並列に接続されたダイオード３ｃとで構成され、
　前記回生電力バイパス用ダイオード５は、降圧チョッパ回路３のスイッチング素子３ａとリアクトル３ｂとの直列回路と並列に逆接続されている
電動機駆動用インバータ装置。」の発明（以下、「引用発明１」という。）が記載されている。
（２）原査定で引用された特開２００９−２１９３３３号公報（以下、「引用文献２」という。）には、次のとおりの記載がある。
ア．
「【０００８】
  前述の課題を解決するため、本発明による降圧型スイッチングＤＣ／ＤＣコンバータは、次のような特徴的な構成を採用している。
【０００９】
　（１）入力側に配置する入力コイル、出力側に配置する出力コイル、前記入力コイルと前記出力コイルの接続をＯＮ／ＯＦＦするスイッチ、出力電圧を平滑化する出力コンデンサからなる降圧型スイッチングＤＣ／ＤＣコンバータにおいて、前記入力コイルと前記スイッチとの接続点から第１の中間コンデンサと第１の中間コイルとからなる直列回路を並列に接続し、かつ、前記出力コイルと前記スイッチとの接続点から第２の中間コンデンサと第２の中間コイルとからなる直列回路を並列に接続し、かつ、前記第１の中間コンデンサと前記第１の中間コイルとの接続点から、前記スイッチと相補的にＯＮ／ＯＦＦするスイッチング素子を介して、前記第２の中間コンデンサと前記スイッチとの接続点を接続し、かつ、前記入力コイルと前記第１の中間コイルとを、また、前記出力コイルと前記第２の中間コイルとを、それぞれ、電磁結合する降圧型スイッチングＤＣ／ＤＣコンバータ。
【発明の効果】
【００１０】
　本発明の降圧型スイッチングＤＣ／ＤＣコンバータによれば、以下のような効果を得ることができる。
【００１１】
　第１に、入力コイルと電磁結合する第１の中間コイル、出力コイルと電磁結合する第２の中間コイルをそれぞれに備えているので、入力コイルおよび出力コイルのリップル電流をゼロリップルにすることができ、ノイズを小さくすることができる。
【００１２】
　第２に、ノイズが小さく、追加するフィルタを小さくすることができるので、降圧型スイッチングＤＣ／ＤＣコンバータを小型化することができる。
【００１３】
　第３に、入力コイル、出力コイル、第１の中間コイル、第２の中間コイルの４個のコイルの両端電圧をすべて相等しい値に設定することができるので、すべてのコイルを結合させて、１個のトランスによって構成することも可能であり、降圧型スイッチングＤＣ／ＤＣコンバータをさらに小型化することができる。」
イ．
「【００１６】
　図１に、本発明の降圧型スイッチングＤＣ／ＤＣコンバータの一実施形態を示している。図１に示すように、本発明による降圧型スイッチングＤＣ／ＤＣコンバータは、入力コイルＬ１、出力コイルＬ２、入力側に配置した第１の中間コイルＬｍ１、出力側に配置した第２の中間コイルＬｍ２、入力側に配置した第１の中間コンデンサＣ１、出力側に配置した第２の中間コンデンサＣ２、スイッチＳ、スイッチング素子であるダイオードＤ、および、平滑用の出力コンデンサＣを少なくとも含んで構成され、入力コイルＬ１および出力コイルＬ２に流れるリップル電流波形を三角波とするまたは除去する（ゼロリップル化する）ことにより、低ノイズ化を実現することが可能な、降圧型のスイッチングＤＣ／ＤＣコンバータとして構成されている。
【００１７】
　つまり、図１に示す降圧型のスイッチングＤＣ／ＤＣコンバータにおいては、直流電源Ｅの正極側に、入力コイルＬ１、スイッチＳ、出力コイルＬ２を経由して負荷Ｒが接続され、電源電圧Ｅと負荷Ｒ側との負極側は直接接続されている。また、入力側の入力コイルＬ１とスイッチＳとの接続点と電源電圧Ｅの負極側との間に、入力側に配置する第１の中間コンデンサＣ１、第１の中間コイルＬｍ１の直列回路が並列接続されている。一方、出力側の出力コイルＬ２とスイッチＳとの接続点と負荷Ｒの負極側との間に、出力側に配置する第２の中間コンデンサＣ２、第２の中間コイルＬｍ２の直列回路が並列接続されている。さらに、入力側の第１の中間コンデンサＣ１と第１の中間コイルＬｍ１との接続点は、スイッチング素子のダイオードＤを介して、出力側のスイッチＳと第２の中間コンデンサＣ２との接続点に接続されている。
【００１８】
　図１に示す降圧型スイッチングＤＣ／ＤＣコンバータは、直流電源Ｅの入力電圧Ｖｉを指定した出力電圧Ｖｏに変換して負荷Ｒへ供給するために、スイッチＳのＯＮ時間がスイッチング周波数ｆに占める比率を
　　　　　伝達関数ｄ＝（出力電圧Ｖｏ）／（入力電圧Ｖｉ）
となるように、つまり、デューティ比が伝達関数ｄ（０＜ｄ＜１）と等しくなるように制御している。一方、スイッチング素子のダイオードＤは、スイッチＳがＯＦＦになっている期間の間、入力側の第１の中間コイルＬｍ１に蓄えた直流電源Ｅのエネルギーを出力側へ放電して第２の中間コンデンサＣ２を充電する機能を果たしており、スイッチＳとは相補的なスイッチング動作が行われる。この結果、所望の入力電圧Ｖｉを伝達関数ｄにより降圧した所望の出力電圧Ｖｏが得られる。
【００１９】
　また、入力側の入力コイルＬ１と第１の中間コイルＬｍ１との間、出力側の出力コイルＬ２と第２の中間コイルＬｍ２との間は、それぞれ、電磁結合状態にあり、相互インダクタンスＭ１，Ｍ２が、それぞれに存在している。ここで、入力コイルＬ１と第１の中間コイルＬｍ１との結合係数ｋ１１および巻数比ｎ１１について、次の式（１）が成立するように設定することにより、入力コイルＬ１に流れるリップル電流ΔＩＬ１をほぼゼロにする（ゼロリップル化する）ことができる。
【数１】（省略）
【００２０】
　同様に、出力コイルＬ２と第２の中間コイルＬｍ２との結合係数ｋ２２および巻数比ｎ２２について、それぞれ、次の式（２）が成立するように設定することにより、出力コイルＬ２に流れるリップル電流ΔＩＬ２をほぼゼロにする（ゼルリップル化する）ことができる。」
ウ．
「【００５５】
　（本発明の実施例）
　図４に、本発明による降圧型スイッチングＤＣ／ＤＣコンバータの実施例として直流電源Ｅと負荷Ｒとの間に配置する構成例を示している。図４に示すように、ＤＣ／ＤＣコンバータ、バッテリ、太陽電池などの不安定な直流電源Ｅの電圧を、本発明による降圧型スイッチングＤＣ／ＤＣコンバータによって降圧安定化させて、電気・電子回路、ＤＣ／ＤＣコンバータ、バッテリなどの負荷Ｒに対して供給する。ここで、図１、図２に示すような降圧型スイッチングＤＣ／ＤＣコンバータの電圧変換制御により、出力電圧Ｖｏが指定した電圧になるように、出力電圧Ｖｏをフィードバックさせて、スイッチＳのＯＮ時間ｔｏｎを制御する動作を行う。
【００５６】
　なお、図４においても、前述したように、入力コイルＬ１と第１の中間コイルＬｍ１との２つのコイル、出力コイルＬ２と第２の中間コイルＬｍ２との２つのコイルをそれぞれ適切に結合させて、入力コイルＬ１および出力コイルＬ２のリップル電流をゼロリップル化することができる。」
　以上、段落【０００９】，【００１１】，【００５５】の記載によれば、引用文献２には、
「直流電源の電圧を降圧安定化させ、指定した出力電圧を負荷に供給するＤＣ／ＤＣコンバータであって、
　入力側に配置する入力コイル、出力側に配置する出力コイル、前記入力コイルと前記出力コイルの接続をＯＮ／ＯＦＦするスイッチ、出力電圧を平滑化する出力コンデンサからなる降圧型スイッチングＤＣ／ＤＣコンバータにおいて、
　前記入力コイルと前記スイッチとの接続点から第１の中間コンデンサと第１の中間コイルとからなる直列回路を並列に接続し、かつ、前記出力コイルと前記スイッチとの接続点から第２の中間コンデンサと第２の中間コイルとからなる直列回路を並列に接続し、かつ、前記第１の中間コンデンサと前記第１の中間コイルとの接続点から、前記スイッチと相補的にＯＮ／ＯＦＦするスイッチング素子を介して、前記第２の中間コンデンサと前記スイッチとの接続点を接続し、かつ、前記入力コイルと前記第１の中間コイルとを、また、前記出力コイルと前記第２の中間コイルとを、それぞれ、電磁結合することにより、入力コイルおよび出力コイルのリップル電流をゼロリップルにすることができ、ノイズを小さくすることができる
　降圧型スイッチングＤＣ／ＤＣコンバータ。」の発明（以下、「引用発明２」という。）が記載されている。
２．対比
　本願発明と引用発明１とを対比する。
　引用発明１の「三相交流電源１を入力とする三相ダイオードブリッジ整流回路２」は、本願発明の「直流電源（２）」に相当し、引用発明１の「三相ダイオードブリッジ整流回路２の正極側と負極側の間に接続された、電解コンデンサ２ｂ」は、本願発明の「直流電源（２）の正極側と負極側との間に接続される第１コンデンサ（３１）」に相当する。
　また、引用発明１の「スイッチング素子」は、引用文献１の図１によれば、本願発明の「第１端と、前記正極側が接続される第２端とを有するスイッチング素子（３２）」に相当する。
　また、引用発明１の「電圧形三相フルブリッジインバータ４」は、本願発明の「電圧形インバータ（４）」に相当し、引用発明１の「ダイオード３ｃ」は、引用文献１の図１によれば、本願発明の「前記負極側及び電圧形インバータ（４）の低電位側入力端に接続されるアノードと、前記スイッチング素子の前記第１端に接続されるカソードとを有する第１ダイオード（３３）」に相当する。
　また、引用発明１の「スイッチング素子３ａとリアクトル３ｂとの直列回路と並列に逆接続され」る「回生電力バイパス用ダイオード」は、引用文献１の図１によれば、本願発明の「前記電圧形インバータの高電位側入力端にされるアノードと、前記スイッチング素子の前記第２端に接続されるカソードとを有する第２のダイオード（３４）」に相当する。
　また、引用発明１の「リアクトル３ｂ」は、引用文献１の図１によれば、本願発明の「前記スイッチング素子の前記第１端と前記第２ダイオードの前記アノードとの間に接続さっる第１リアクトル（３５ｄ）」に相当する。
　また、引用発明１の「電解コンデンサ２ｂ」を含めた「降圧チョッパ回路」は、入力側が「三相ダイオードブリッジ回路２」に接続され、出力側側が「電圧形三相フルブリッジインバータ４」に接続されているから、本願発明と同様の「チョッパ回路」であるといえる。
　したがって、本願発明と引用発明１とは、以下の一致点と相違点とを有する。
［一致点］
「直流電源（２）の正極側と負極側との間に接続される第１コンデンサ（３１）と、
　第１端と、前記正極側が接続される第２端とを有するスイッチング素子（３２）と、
　前記負極側及び電圧形インバータ（４）の低電位側入力端に接続されるアノードと、前記スイッチング素子の前記第１端に接続されるカソードとを有する第１ダイオード（３３）と、
　前記電圧形インバータの高電位側入力端に接続されるアノードと、前記スイッチング素子の前記第２端に接続されるカソードとを有する第２ダイオード（３４）と、
　前記スイッチング素子の前記第１端と前記第２ダイオードの前記アノードとの間に接続される第１リアクトル（３５ｄ）と、
を備えるチョッパ回路（３０３）。」　
［相違点］
　本願発明では、「前記スイッチング素子の前記第１端に接続され、前記スイッチング素子の前記第１端側において前記第１リアクトルと同極性で誘導結合する第２リアクトル（３５ａ）と、
　前記第１ダイオードの前記カソードと前記アノードとの間で、前記第２リアクトルに対して直列に接続される第２コンデンサ（３６）とを備える」ものであるのに対し、引用発明１は、当該構成を有しない点。
３．判断
　上記相違点について検討する。
　引用発明２は、引用文献２の図１０に従来技術として記載された「降圧型スイッチングコンバータ」に、出力コイルと、出力コイルとスイッチとの接続点から第２の中間コンデンサと中間コイルとからなる直列回路を並列に接続し、出力コイルと中間コイルとを電磁結合させたものである。
　そうすると、引用発明２において、出力コイルと中間コンデンサと中間コイルとはひとまとまりの構成であって、当該構成から「第２の中間コンデンサと中間コイルとからなる直列回路」の構成のみを取り出す動機付けは存在しないし、仮に、「第２の中間コンデンサと中間コイルとからなる直列回路」を取り出したとしても、引用発明１の「第１リアクトル」に「第２の中間コンデンサと中間コイルとからなる直列回路」を並列に接続し、第１リアクトルと中間コイルとを電磁結合させる動機付けも存在しない。
　以上のとおり、引用発明１に引用発明２を採用する動機付けはなく、本願発明の上記相違点に係る構成を当業者が容易に想到し得たものとすることはできない。
　したがって、本願発明は、当業者が引用発明１，引用発明２に基づいて容易に発明をすることができたとはいえない。
　本願の請求項２−６に係る発明は、本願発明をさらに限定したものであるので、本願発明と同様に、当業者が引用発明１，引用発明２に基づいて容易に発明をすることができたとはいえない。
第５　むすび
　以上のとおり、本願の請求項１−６に係る発明は、当業者が引用発明１，引用発明２に基づいて容易に発明をすることができたものではないから、原査定の理由によっては、本願を拒絶することはできない。
　また、他に本願を拒絶すべき理由を発見しない。
　よって、結論のとおり審決する。